(57)【要約】【課題】  接眼光学系の視度調整時にファインダピント位置にて正確にかつ邪魔するものがない状態で視度を合わせる。【解決手段】  ファインダ内表示を被写体像と重ねて観察させるファインダ内表示手段と、接眼光学系の視度を調整する視度調整手段と、視度調整用指標がピント面に形成されたピント板と、視度調整手段が操作されたか否かを検出する視度調整検出手段（１０３）と、ファインダ内表示が選択されているか否かを判定するファインダ内表示判定手段（１０２）と、ファインダ内表示が選択されている状態で、視度調整手段の操作が検出された場合には、ファインダ内表示を所定時間消灯するファインダ内表示制御手段（１０５）とを有する。【選択図】  図９
2014041277.tif 000002
【特許請求の範囲】
【請求項１】
接眼光学系によりファインダ内表示を被写体像と重ねて観察させるファインダ内表示手段と、
前記接眼光学系の視度を調整する視度調整手段と、
視度調整用指標がピント面に形成されたピント板とを備えた撮像装置であって、
前記視度調整手段が操作されたか否かを検出する視度調整検出手段と、
前記ファインダ内表示が選択されているか否かを判定するファインダ内表示判定手段と、
前記ファインダ内表示が選択されている状態で、前記視度調整手段の操作が検出された場合には、前記ファインダ内表示手段の表示を所定時間消灯するファインダ内表示制御手段とを有することを特徴とする撮像装置。
【請求項２】
前記視度調整用指標は、前記ファインダ内表示手段の表示と、ファインダ観察画面内において重ならない位置に配置されていることを特徴とする請求項１に記載の撮像装置。
【請求項３】
前記ファインダ内表示手段の消灯の所定時間は、任意に設定可能であることを特徴とする請求項１または２のいずれか１項に記載の撮像装置。
【請求項４】
さらに被写体の焦点検出状態を検出する焦点検出手段を有し、該焦点検出手段により合焦状態にあると検出された場合には、前記ファインダ内表示制御手段によるファインダ内表示の消灯を禁止することを特徴とする請求項１ないし３のいずれか１項に記載の撮像装置。
【請求項５】
さらに被写体の輝度を検出する測光手段を有し、該測光手段により被写体の輝度が検出されている場合には、前記ファインダ内表示制御手段によるファインダ内表示の消灯を禁止することを特徴とする請求項１ないし３のいずれか１項に記載の撮像装置。
【請求項６】
接眼光学系によりファインダ内表示を被写体像と重ねて観察させるファインダ内表示手段と、
前記接眼光学系の視度を調整する視度調整手段と、
視度調整用指標がピント面に形成されたピント板とを備えた撮像装置の制御方法であって、
前記視度調整手段が操作されたか否かを検出する視度調整検出ステップと、
前記ファインダ内表示が選択されているか否かを判定するファインダ内表示判定ステップと、
前記ファインダ内表示が選択されている状態で、前記視度調整手段の操作が検出された場合には、前記ファインダ内表示手段の表示を所定時間消灯するファインダ内表示制御ステップとを有することを特徴とする撮像装置の制御方法。
【発明の詳細な説明】
【技術分野】
【０００１】
本発明は、ファインダにファインダ内表示手段と、接眼光学系の視度調整手段を有する撮像装置およびその制御方法に関するものである。
【背景技術】
【０００２】
従来、接眼光学系の視度調整機構と、ファインダの接眼光路と同一光路内に配置され、撮影光学系から接眼光学系に導かれた被写体像に重ねて接眼光学系で観察させるファインダ内表示装置を有する撮像装置がある。
【０００３】
このような撮像装置において、特許文献１に示すように、接眼光学系の視度調整機構と、焦点検出領域と焦点検出状態の少なくともいずれか一方の表示をファインダ内に表示する表示手段と、表示手段を制御して表示を重ねたり消したりする操作手段とを備えるものが提案されている。
【０００４】
しかし、特許文献１に開示された従来技術では、操作手段でファインダ内表示を消灯することができるが、視度調整動作とは連動していないため、視度調整時にファインダ内表示が表示されたままの状態なっていることがある。このため、視度調整時にファインダピント位置とは視度の異なるファインダ内表示を観察しながら接眼光学系の視度を合わせることになり、ファインダピント位置の視度を正確に合わせられないという課題がある。
【０００５】
そこで、例えば特許文献２では、ファインダ内に少なくとも文字を含むキャラクタ画像を表示するファインダ内表示装置と、接眼光学系の視度調整機構を有するものが開示されている。これは、ファインダ内表示装置の表示内容を、撮影光学系から接眼光学系に導かれた被写体像に重ねて接眼光学系で観察させる撮像装置において、視度調整機構で調整された視度に応じて、ファインダ内表示装置のキャラクタ画像の大きさを調整する。
【先行技術文献】
【特許文献】
【０００６】
【特許文献１】特開平５−１２７２４４号公報
【特許文献２】特開２００８―２６８２５号公報
【発明の概要】
【発明が解決しようとする課題】
【０００７】
特許文献２に開示された従来技術では、視度調整機構で調整された視度に応じて、ファインダ内表示装置のキャラクタ画像の大きさが調整される。そのため、観察者の視度に関わらずファインダ内のキャラクタ画像の視認性を向上することは可能である。しかし、視度調整時にファインダピント位置とは視度の異なるファインダ内表示を観察しながら接眼光学系の視度を合わせることになり、ファインダピント位置の視度を正確に合わせられないという課題が残る。
【０００８】
（発明の目的）
本発明の目的は、接眼光学系の視度調整時にファインダピント位置にて正確にかつ邪魔するものがない状態で視度を合わせることができる撮像装置およびその制御方法を提供することである。
【課題を解決するための手段】
【０００９】
上記目的を達成するために、本発明の撮像装置は、接眼光学系によりファインダ内表示を被写体像と重ねて観察させるファインダ内表示手段と、前記接眼光学系の視度を調整する視度調整手段と、視度調整用指標がピント面に形成されたピント板とを備えた撮像装置であって、前記視度調整手段が操作されたか否かを検出する視度調整検出手段と、前記ファインダ内表示が選択されているか否かを判定するファインダ内表示判定手段と、前記ファインダ内表示が選択されている状態で、前記視度調整手段の操作が検出された場合には、前記ファインダ内表示手段の表示を所定時間消灯するファインダ内表示制御手段とを有することを特徴とするものである。
【発明の効果】
【００１０】
本発明によれば、接眼光学系の視度調整時にファインダピント位置にて正確にかつ邪魔するものがない状態で視度を合わせることができる。
【図面の簡単な説明】
【００１１】
【図１】本発明の一実施例であるデジタル一眼レフカメラを示す外観斜視図である。
【図２】実施例の内部構造を示す中央縦断面図である。
【図３】実施例におけるピント板の視度調整用指標を示す図である。
【図４】実施例における回路構成を示すブロック図である。
【図５】実施例におけるファインダ接眼ユニットの分解斜視図である。
【図６】実施例における視度調整ダイヤルを示す図である。
【図７】実施例におけるファインダ内表示の例を示す図である。
【図８】実施例におけるファインダ表示設定の例を示す図である。
【図９】実施例におけるファインダ内表示制御タスクを説明するフローチャートである。
【発明を実施するための形態】
【００１２】
本発明を実施するための形態は、以下の実施例に記載される通りである。
【実施例】
【００１３】
本発明の実施例である撮像装置としてのデジタル一眼レフカメラの構成について図１〜４を用いて説明する。
【００１４】
図１に示すように、カメラ本体１００の上面外装カバー１０１に設けられた主電源スイッチ１０７がオン位置へ操作されると、カメラマイコン１０（図４）は所定のシーケンスによりカメラを起動する。
【００１５】
カメラマイコン１０は操作検出回路１２により操作部材の操作を検出すると、対応する設定を行う。例えば、撮影モードダイヤル１０８が操作され、撮影モードが選択されると、選択された撮影モードに対応したシャッタースピードと絞りとの組み合わせを決定するプログラム線図を設定する。また、電子ダイヤル１０５が操作されると、露出補正などの設定を行う。ＩＳＯ感度設定ボタン１０６が操作されると、ＩＳＯ感度条件を設定する。焦点検出点選択ボタン１１２が操作されると、焦点検出点を任意に設定することができる状態となる。この状態で、方向選択ボタン１１３を操作することで複数の焦点検出点の中から任意の焦点検出点を選択することができる。
【００１６】
また、図２に示すように、不図示の撮影レンズから入射した光束を主ミラー２０１で反射してカメラ上方に導き、ペンタプリズム２０３を介してファインダの接眼ユニット５００に導くことで観察者が被写体像を観察することができる。ここで、主ミラー２０１は撮影光束の一部を透過することができるハーフミラーからなる。主ミラー２０１の背面側には、透過した光束を反射してカメラ下方に導くサブミラー２０２が配置されており、反射光束が焦点検出ユニット３００内の焦点検出センサ３０１に導かれる。
【００１７】
ペンタプリズム２０３の下には、主ミラー２０１の折り返し位置から撮像素子２０４の撮像面までと同一光路長となる位置にピント面４００ａが来るようにピント板４００が配置されている。さらに、ピント板４００と、ペンタプリズム２０３の間には、透過型の液晶表示装置であるファインダ内表示装置２０５がピント板４００と略平行に配置され、接眼光学系を介して被写体像と重ねて表示内容を観察することができる構成となっている。
【００１８】
また、ファインダの接眼光学系には、Ｇ２レンズ５０２が配置されており、視度調整ダイヤル１２０（図１）を操作することで、Ｇ２レンズ５０２が接眼光軸と並行な方向に移動し、観察者が任意に接眼光学系の視度を設定することができる構成となっている。接眼光学系は、Ｇ１レンズ５０１、Ｇ２レンズ５０２、Ｇ３レンズ５０３、Ｇ４レンズ５０４を有する。また、接眼ユニット５００の上部には測光レンズ５１５と測光センサ５２０が配置されており、主ミラー２０１、ペンタプリズム２０３を介して被写体光を測光することができる構成となっている。
【００１９】
また、図３に示すように、ピント板４００のピント面４００ａには視度調整用指標４０１〜４０５がプリズム状に形成されており、撮影者が接眼光学系の視度調整をするときにピント面４００ａの視度を正確に合わせる指標となる。ここで、視度調整用指標４０１〜４０５は、接眼光学系でファインダ内表示と重ね合わせて観察するときにファインダ観察画面内において重ならない位置に配置されている。
【００２０】
次に、図１〜図４を用いて本発明の実施例に係るデジタル一眼レフカメラを用いた一連の撮影動作について説明する。
【００２１】
操作検出回路１２によりレリーズボタン１０４が第一の位置まで押し込まれたことが検知されると、カメラマイコン１０は撮影条件制御回路１３を駆動し、適切なシャッタースピードと絞り値を決定するために、ファインダの接眼ユニット５００の上部に設けられた測光センサ５２０により被写体光を測光する。
【００２２】
また、焦点検出センサ３０１により、選択された焦点検出点の焦点検出状態を検出し、選択された焦点検出点が合焦するようにＡＦ制御回路１１はレンズ制御回路１９を駆動する。そして、不図示の撮影レンズを選択された焦点検出点が合焦する位置まで駆動させる。
【００２３】
操作検出回路１２によりレリーズボタン１０４が第二の位置まで押し込まれたことが検知されると、撮像素子２０４に被写体光が到達するように、カメラマイコン１０はモータ制御回路１４を駆動し、主ミラー２０１及びサブミラー２０２を所定の位置に退避させ、シャッター２０６を開放する。
【００２４】
カメラマイコン１０はモータ制御回路１４を駆動し、所定の時間でシャッター２０６を遮光状態とする。撮像素子２０４に被写体光が到達した状態でカメラマイコン１０は撮像素子駆動回路１５を駆動し、光電変換により被写体光を電子データとして取得する。取得された電子データはデータ処理回路１６により所定の増幅、変換、補正などのデータ処理を施され、撮影画像データとなる。
【００２５】
カメラマイコン１０は記録処理回路１７を駆動することで、得られた撮影画像データを不図示のメモリに記録する。撮影者が画像再生ボタン１１４を操作すると、カメラマイコン１０は再生処理回路１８を駆動し、カメラ背面側に設けられた液晶表示装置１１０にメモリに保存されている撮影画像を表示させる。
【００２６】
次に、図５、図６を用いて実施例におけるファインダ接眼ユニット５００の構成、視度調整機構及び視度調整検出手段について説明する。
【００２７】
５０５は、ペンタプリズム２０３から射出して接眼光学系に入射する光束を制限するＧ１マスク、５０１はＧ１レンズ、５０６はＧ１レンズ５０１及びＧ２レンズ５０２を保持するレンズホルダーである。５０７はＧ２レンズ５０２を保持するＧ２レンズホルダーである。５０３はＧ３レンズ、５０８はＧ４レンズ５０４への入射光束を制限するＧ３マスクである。また、５０９はＧ３レンズ５０３及びＧ４レンズ５０４を保持するレンズカバーである。
【００２８】
Ｇ２レンズホルダー５０７のカム面５０７ａは、視度調整バネ５１０によりカムギヤ５１１のカム面５１１ａに常に当接されている。カムギヤ５１１のギヤ部５１１ｂと視度調整ギヤ５１２のギヤ部は噛み合っており、視度調整ギヤ５１２の切欠き部５１２ａと視度調整ダイヤル１２０の突起部１２０ａとが嵌合している。５１３は視度調整ギヤ５１２の回転を規制し、視度調整ダイヤル１２０の回転操作のクリック感を出すクッリクバネである。
【００２９】
視度調整ダイヤル１２０の回転操作に連動して視度調整ギヤ５１２及びカムギヤ５１１が回転する。カムギヤ５１１のカム面５１１ａに沿ってＧ２レンズホルダー５０７のカム面５０７ａが移動する。Ｇ２レンズホルダー５０７及びＧ２レンズ５０２が、接眼光軸と並行に配置されたガイドバー５１４に沿って移動することで、視度調整ダイヤル１２０の回転動作が直進動作に変換される。Ｇ２レンズ５０２が、接眼光軸と並行な方向に進退することで撮影者が接眼光学系の視度を調整できる構成となっている。
【００３０】
また、図６に示すように、視度調整ダイヤル１２０の裏面には、複数の磁石６０１がＳ極とＮ極とが交互に円形状に配列されて固定されている。円形状に配列された磁石６０１の外周部近傍にホール素子６０２が位置するように固定されている。ホール素子６０２はフレキシブルプリント基板６０３に実装されており、フレキシブルプリント基板６０３が不図示のメイン基板に接続され、カメラマイコン１０で出力信号が処理される。撮影者が視度調整ダイヤル１２０の回転操作をすると、ホール素子６０２により円形状に配列された磁石の磁界の変化が検出され、視度調整ダイヤル１２０の回転動作が検出される構成となっている。
【００３１】
なお、本実施例では、磁石６０１とホール素子６０２の組み合わせにより視度調整ダイヤル１２０の回転動作を検出する構成として説明した。しかし、本実施例はこれに限定されるものではなく、例えば、位相接片と基板のパターンで回転動作を検出する構成であっても良い。また、視度調整ダイヤル１２０の回転動作の検出に限られたものではなく、Ｇ２レンズ５０２またはＧ２レンズホルダー５０７の接眼光軸と並行な方向の進退動作を検出する構成であっても構わない。
【００３２】
次に、図７、図８を用いてファインダ内表示及びファインダ内表示の選択方法を説明する。
【００３３】
図７はファインダ内の表示内容を示す図である。７０１〜７１９は焦点検出センサ３０１の焦点検出点の位置を示すＡＦフレーム、７２０は測光センサ５２０のスポット測光範囲を示すスポット測光マーク、７２１〜７２８は撮影の構図決めを補助するグリッド線である。撮影者により、焦点検出点選択ボタン１１２が操作されると、焦点検出点選択モードになり、方向選択ボタン１１３を操作することで選択する焦点検出点を移動することができる。次に、撮影者がいずれかの操作ボタンを操作することで焦点検出点選択モードが解除され、選択されている焦点検出点に決定される。
【００３４】
また、メニューボタン１３０を操作すると、図８に示すようにファインダ内表示装置１１０にファインダ内表示設定のメニューが表示される。ファインダ内表示設定のメニューで方向選択ボタン１１３の上下ボタンを操作することで、ＡＦフレーム７０１〜７１９、スポット測光マーク７２０及びグリッド線７２１〜７２８などの各項目が選択される。方向選択ボタン１１３の左右ボタンを操作することで表示／非表示の設定を撮影者が選択することができる。ファインダ表示制御回路２０は撮影者によって選択されたファインダ内表示設定に基づき、ファインダ内の表示／非表示を切り替える。
【００３５】
また、同じメニュー画面内において、撮影者は視度調整ダイヤル１２０の操作検出結果とファインダ内表示の表示制御を連動する／しないの選択及び視度調整ダイヤル１２０の操作が検出された場合の視度調整表示の消灯時間を任意に選択することができる。図８の例では、２秒、４秒、８秒のいずれかが任意に設定可能である。
【００３６】
次に、図９のフローチャートを用いて実施例における視度調整操作に関わるファインダ内表示の制御タスクについて説明する。
【００３７】
デジタル一眼レフカメラの主電源スイッチ１０７がオンされた待機状態において、撮影者により視度調整ダイヤル１２０の操作とファインダ内表示の表示切替えの連動が選択されているか否かを検出する（Ｓ１０１）。ステップＳ１０１において、視度調整ダイヤル１２０の操作とファインダ内表示とを連動することが選択されている場合には、次にステップＳ１０２に進む。このステップでは、ファインダ内表示（ＡＦフレーム、スポット測光マーク、グリッド線）が選択されているか否かをカメラマイコン１０で判定する。ステップＳ１０２を実行するカメラマイコン１０が、ファインダ内表示判定手段を構成する。
【００３８】
ステップＳ１０２において、ＡＦフレーム、スポット測光マーク、グリッド線の内のいずれかのファインダ内表示をすることが選択されている場合には、ステップＳ１０３に進む。このステップでは、撮影者により視度調整ダイヤル１２０が操作されたか否かをカメラマイコン１０で検出する。ステップＳ１０３において、視度調整ダイヤル１２０が操作されたと検出された場合には、ステップＳ１０４に進み、ＡＦ合焦／測光タイマ／測光値ロック／ストロボ発光量ロック中等の撮影待機状態にあるかを検出する。ステップＳ１０４において、撮影待機状態でない場合には、ステップＳ１０５に進み、ファインダ表示制御回路２０からの指示でファインダ内表示を撮影者によって設定された所定時間消灯する。
【００３９】
一方、ステップＳ１０１において、視度調整機構の操作とファインダ内表示とを連動しないことが選択されている場合、ステップＳ１０２において、ＡＦフレーム、スポット測光マーク、グリッド線の全てのファインダ内表示をしないことが選択されている場合、ステップＳ１０３において、視度調整ダイヤル１２０の操作が検出されない場合には、ファインダ内表示制御タスクを抜けて待機状態に戻る。また、ステップＳ１０４において、ＡＦ合焦／測光タイマ／測光値ロック／ストロボ発光量ロック中等の撮影待機状態の場合も、ファインダ内表示制御タスクを抜けて待機状態に戻る。つまり、例えば合焦状態であるときには、ステップＳ１０５のファインダ内表示の消灯が禁止される。また、例えば被写体の輝度が測光センサ５２０により検出されている（測光タイマ中）ときには、ステップＳ１０５のファインダ内表示の消灯が禁止される。
【００４０】
次に、ステップＳ１０５において、ファインダ内表示が消灯されると、ステップＳ１０６に進み、ファインダ内表示消灯タイマ（Ｔ）のカウントを開始する。次に、ステップＳ１０７に進み、ファインダ内表示消灯タイマ（Ｔ）のカウント中に視度調整ダイヤル１２０が操作されたか否かを検出する。ステップＳ１０７において、視度調整ダイヤル１２０の操作が検出された場合は、カウント中のファインダ内表示消灯タイマ（Ｔ）をリセットし、ステップＳ１０６に戻ってファインダ内表示消灯タイマ（Ｔ）のカウントを再度開始する。
【００４１】
一方、ステップＳ１０７において、視度調整ダイヤル１２０の操作が検出されない場合には、ステップＳ１０８に進む。ステップＳ１０８において、ファインダ内表示消灯タイマが撮影者により予め設定された時間（ＴＦＯＦＦ）以上経過したか（Ｔ≧ＴＦＯＦＦ）を検出する。撮影者により予め設定された時間以上経過した場合（Ｔ≧ＴＦＯＦＦ）は、ステップＳ１０９に進み、ファインダ表示制御回路２０からの指示でファインダ内表示を再度点灯し、ファインダ内表示制御タスクを抜けて待機状態に戻る。ステップＳ１０８において、ファインダ内表示消灯タイマが撮影者により予め設定された時間（ＴＦＯＦＦ）経過していない場合（Ｔ＜ＴＦＯＦＦ）には、引き続きファインダ内表示消灯タイマのカウントを行う。
【００４２】
本実施例によれば、ピント板４００のピント面４００ａ上に視度調整用指標４０１〜４０５を設けることにより、撮影者が接眼光学系の視度調整をするときにピント面４００ａの視度を正確に合わせることができるようになる。
【００４３】
また、視度調整ダイヤル１２０の操作検出手段（カメラマイコン１０）を設けて視度調整操作を検出し、撮影者により視度調整ダイヤル１２０が操作されたときには、ピント面４００ａと異なる視度位置に配置されたファインダ内表示装置２０５の表示を所定時間消灯する。これにより、撮影者が視度調整用指標４０１〜４０５のみを観察して視度を合わせることが可能となる。
【００４４】
また、視度調整ダイヤル１２０の操作とファインダ内表示とを連動する／しないを撮影者が選択できるようにすることで、ファインダ内表示を観察しながら、接眼光学系の視度調整をすることも可能となる。
【００４５】
さらに、ＡＦ合焦／測光タイマ／測光値ロック／ストロボ発光量ロック中等の撮影待機状態では、視度調整ダイヤル１２０が操作された場合であってもファインダ内表示の消灯を禁止することにより、撮影に必要なファインダ内表示の保持を優先できる。
【００４６】
以上、本発明の好ましい実施例について説明したが、本発明はこれらの実施例に限定されず、その要旨の範囲内で種々の変形及び変更が可能である。
【符号の説明】
【００４７】
１０  カメラマイコン
２０  ファインダ表示制御回路
１２０  視度調整ダイヤル
２０５  ファインダ内表示装置
４００  ピント板
４００ａ  ピント面
４０１〜４０５  視度調整用指標
５００  ファインダ接眼ユニット
【図１】
2014041277.tif 000003
【図２】
2014041277.tif 000004
【図３】
2014041277.tif 000005
【図４】
2014041277.tif 000006
【図５】
2014041277.tif 000007
【図６】
2014041277.tif 000008
【図７】
2014041277.tif 000009
【図８】
2014041277.tif 000010
【図９】
2014041277.tif 000011